(57)【要約】【課題】デコーダに入力される副搬送波信号のバースト信号に対する位相が、完全に一致していない場合であっても、ベクトルスコープを正常に機能させる。【解決手段】本発明のベクトルスコープに表示されるベクトル波形を補正するベクトル波形補正装置（３０）は、一部の走査線毎に補正量θを保持する補正量設定手段（９）と、コンポジット・ビデオ信号のクロマ信号から復調された第１色差信号（Ｂ−Ｙ信号）及び第２色差信号（Ｒ−Ｙ信号）を、それぞれｘ及びｙとして入力する手段（１０）であって、ベクトル（ｘ，ｙ）＝（第１色差信号，第２色差信号）から、ベクトル（ｘ’，ｙ’）＝（ｘ・ｃｏｓθ−ｙ・ｓｉｎθ，ｘ・ｓｉｎθ＋ｙ・ｃｏｓθ）を生成することにより、全走査線の一部の走査線を単位として、ベクトル（ｘ，ｙ）を部分的に回転させる手段（１０）と、を備える。【選択図】  図３
2005024265.tif 000002
【特許請求の範囲】
【請求項１】
ベクトルスコープに表示されるベクトル波形を補正するベクトル波形補正装置（３０）であって、該装置は、
コンポジット・ビデオ信号のクロマ信号から復調された第１色差信号（Ｂ−Ｙ信号）及び第２色差信号（Ｒ−Ｙ信号）を、それぞれｘ及びｙとして入力し、ベクトル（ｘ，ｙ）＝（第１色差信号，第２色差信号）を、全走査線の一部の走査線を単位として、部分的に回転させる手段（１０）を
備えるベクトル波形補正装置（３０）。
【請求項２】
請求項１に記載の装置（３０）であって、該装置はさらに、
一部の走査線毎に補正量θを保持する補正量設定手段（９）を、
備え、
ベクトル（ｘ，ｙ）を回転させる前記手段（１０）が、前記ベクトル（ｘ，ｙ）から、ベクトル（ｘ’，ｙ’）＝（ｘ・ｃｏｓθ−ｙ・ｓｉｎθ，ｘ・ｓｉｎθ＋ｙ・ｃｏｓθ）を生成するアフィン変換手段（１０）である、ベクトル波形補正装置（３０）。
【請求項３】
請求項１に記載の装置（３０，３０’）であって、
ベクトル（ｘ，ｙ）を回転させる前記手段（１０）は、前記ベクトル（ｘ，ｙ）＝（第１色差信号，第２色差信号）を、全走査線の一部の走査線を単位として部分的に回転させるとともに、全走査線を単位として回転させる、ベクトル波形補正装置（３０，３０’）。
【請求項４】
請求項３に記載の装置（３０，３０’）であって、該装置はさらに、
全走査線の回転量αを保持する回転量設定手段（５’）を備え、
ベクトル（ｘ，ｙ）を回転させる前記手段（１０）が、前記ベクトル（ｘ，ｙ）から、ベクトル（ｘ’，ｙ’）＝（ｘ・ｃｏｓ（θ＋α）−ｙ・ｓｉｎ（θ＋α），ｘ・ｓｉｎ（θ＋α）＋ｙ・ｃｏｓ（θ＋α））を生成するアフィン変換手段（１０）である、ベクトル波形補正装置（３０，３０’）。
【請求項５】
ベクトルスコープに表示されるベクトル波形を補正するベクトル波形補正装置（３０）であって、該装置は、
コンポジット・ビデオ信号のクロマ信号から復調された第１色差信号（Ｂ−Ｙ信号）及び第２色差信号（Ｒ−Ｙ信号）を、それぞれｘ及びｙとして入力し、ベクトル（ｘ，ｙ）＝（第１色差信号，第２色差信号）を、カラーフレームの属性及びラインの属性に依存して、部分的に回転させる手段（１０）を
備えるベクトル波形補正装置（３０）。
【請求項６】
ベクトルスコープに表示されるベクトル波形を補正するベクトル波形補正装置（３０）であって、該装置は、
コンポジット・ビデオ信号のクロマ信号から復調された第１色差信号（Ｂ−Ｙ信号）及び第２色差信号（Ｒ−Ｙ信号）を、それぞれｘ及びｙとして入力し、ベクトル（ｘ，ｙ）＝（第１色差信号，第２色差信号）を部分的に回転させる手段（１０）であって、カラーフレームＡ及び奇数ラインに属するベクトル（ｘ，ｙ）を第１所定量だけ回転させ、カラーフレームＡ及び偶数ラインに属するベクトル（ｘ，ｙ）を第２所定量だけ回転させ、カラーフレームＢ及び奇数ラインに属するベクトル（ｘ，ｙ）を第３所定量だけ回転させ、カラーフレームＢ及び偶数ラインに属するベクトル（ｘ，ｙ）を第４所定量だけ回転させる手段（１０）を
備えるベクトル波形補正装置（３０）。
【請求項７】
デコーダに入力される副搬送波信号のバースト信号に対する位相を補正する移相装置（７０）であって、該装置は、
全走査線の位相シフト量を保持する位相シフト設定手段（５）と、
全走査線の一部の走査線毎に補正位相シフト量を保持する補正量設定手段（９’）と、
前記位相シフト量及び前記補正位相シフト量に基づいて、副搬送波信号の位相を、全走査線の一部の走査線を単位として部分的にシフトさせるとともに、全走査線を単位としてシフトさせる位相シフト手段（６）と、
シフトされた副搬送波信号と直交する副搬送波信号を生成する９０度位相シフト手段（７）と、
を備える移相装置（７０）。
【発明の詳細な説明】
【０００１】
【発明の属する技術分野】
本発明は、ベクトルスコープのベクトル波形表示において、ベクトル波形を回転する装置に関連し、より詳細には、ベクトル波形の位置を回転方向に補正する装置に関連する。
【０００２】
【従来の技術】
図１は、コンポジット・ビデオ信号をベクトル波形表示する従来のベクトルスコープの概略ブロック図を示す。図１に示すように、従来のベクトルスコープは、入力手段１と、Ｙ／Ｃ分離手段２と、同期分離手段３と、副搬送波再生手段４と、移相装置と、デコーダ手段８と、表示手段１１と、を備える。
【０００３】
入力手段１は、コンポジット・ビデオ信号を入力して、その信号をＹ／Ｃ分離手段２、同期分離手段３及び副搬送波再生手段４に出力する。Ｙ／Ｃ分離手段２は、入力したコンポジット・ビデオ信号から、例えば、バンドパス・フィルタ、コムフィルタ、３次元フィルタ等のフィルタを用いて、コンポジット・ビデオ信号のクロマ信号を抽出し、その信号をデコーダ手段８に出力する。同期分離手段３は、入力したコンポジット・ビデオ信号から、負のピーク検出回路を用いて、コンポジット・ビデオ信号の同期信号部分内の複合同期信号を抽出する。さらに、同期分離手段３は、その複合同期信号から、安定マルチバイブレータ等を用いて、垂直同期信号と水平同期信号とに分離し、これらの信号に基づいてバーストゲート信号を生成し、その信号をデコーダ手段８に出力する。副搬送波再生手段４は、入力したコンポジット・ビデオ信号から、ＰＬＬを用いて、バースト信号に同期する副搬送波信号を生成し、その信号を移相装置の位相シフト手段６に出力する。
【０００４】
移相装置のシフト量設定手段５は、位相シフト手段６に入力される副搬送波信号から、位相シフト手段６から出力される副搬送波信号への、位相シフト量（即ち、表示手段１１に表示されるベクトル波形を回転させる量）を設定し、そのシフト量を位相シフト手段６に出力する。位相シフト手段６は、入力した位相シフト量に応じて、例えばゴニオメータなどの可変位相回路を用いて、入力した副搬送波信号の位相をシフトし、位相シフトした副搬送波信号を９０度位相シフト手段７及びデコーダ８に出力する。移相装置の９０度位相シフト手段７は、入力した副搬送波信号から、９０度位相回路を用いて、その信号と直交する副搬送波信号を生成し、生成した信号をデコーダ８に出力する。デコーダ８は、Ｙ／Ｃ分離手段２から入力したクロマ信号から、位相シフト手段６から入力した副搬送波信号と９０度位相シフト手段７から入力した副搬送波信号（即ち、互いに直交する副搬送波信号）とを用いて、色差信号（Ｒ−Ｙ信号及びＢ−Ｙ信号）に復調し、復調した信号を表示手段１１に出力する。表示手段１１は、入力した色差信号のＢ−Ｙ信号をｘ軸として、Ｒ−Ｙ信号をｙ軸として、リサージュ表示する。
【０００５】
このような従来のベクトルスコープの一例は、特開平７−３１２７６２号公報に開示されている。なお、特開平７−３１２７６２号公報に記載されるベクトルスコープは、改良した移相装置を備えている。
【０００６】
【特許文献１】
特開平７−３１２７６２号公報（第３頁、段落２）
【０００７】
【発明が解決しようとする課題】
ユーザがシフト量設定手段５を操作すると（例えば、ユーザが移相ツマミを手動で回転させると）、ベクトルスコープは、表示手段１１に表示されるベクトル波形を回転させる。このような操作の前提は、ベクトルスコープの設計時点において、デコーダ８に入力される副搬送波信号のバースト信号に対する位相が、全走査線に渡って一致していることである。言い換えれば、ベクトルスコープがユーザに販売された後であって、ユーザが移相ツマミを手動で回転させる前に（或いは、シフト量設定手段５及び位相シフト手段６を非動作にした状態で）、デコーダ８に入力される副搬送波信号のバースト信号に対する位相が、所定の値で一致する必要がある。（なお、本明細書中の「全走査線」とは、１組の交互する２つのカラーフレーム内に存在する走査線を意味し、例えば、ＰＡＬ方式のビデオ信号の場合、本明細書のおける全走査線数は、１２５０本であり、ＮＴＳＣ方式のビデオ信号の場合、本明細書のおける全走査線数は、１０５０本である。）
しかしながら、何らかの原因で、デコーダ８に入力される副搬送波信号のバースト信号に対する位相が、全走査線に渡って一致しない場合がある。即ち、１組の交互するカラーフレームのうちカラーフレームＡに属する奇数ラインに対応する位相（１組の交互するカラーフレームのうちカラーフレームＡに属する奇数フィールドに対応する位相）が、所定の値で一致しない場合がある。或いは、１組の交互するカラーフレームのうちカラーフレームＡに属する偶数ラインに対応する位相（１組の交互するカラーフレームのうちカラーフレームＡに属する偶数フィールドに対応する位相）が、所定の値で一致しない場合がある。或いは、１組の交互するカラーフレームのうちカラーフレームＢに属する奇数ラインに対応する位相（１組の交互するカラーフレームのうちカラーフレームＢに属する偶数フィールドに対応する位相）が、所定の値で一致しない場合がある。或いは、１組の交互するカラーフレームのうちカラーフレームＢに属する偶数ラインに対応する位相（１組の交互するカラーフレームのうちカラーフレームＢに属する奇数フィールドに対応する位相）が、所定の値で一致しない場合がある。
【０００８】
このような場合、表示手段１１に表示されるベクトル波形が、部分的に（カラーフレームの属性及びラインの属性に依存して）、回転してしまう。言い換えれば、コンポジット・ビデオ信号が、カラーバー信号である場合、表示手段１１に表示されるベクトル波の位置（例えば、カラーバー信号内のマゼンタ、レッド、イエロー、グリーン、シアン及びブルーのそれぞれを表す位置）が、部分的に、所定の位置から回転方向にズレてしまう。
【０００９】
図２は、副搬送波信号のバースト信号に対する位相が、完全に一致していない場合におけるＰＡＬ方式のカラーバー信号のベクトル表示例を表す。図２に示すように、表示手段１１に表示されるベクトル波の位置（カラーバー信号内のマゼンタ（Ｍｇ）、レッド（Ｒ）、イエロー（Ｙｌ）、グリーン（Ｇ）、シアン（Ｃｙ）及びブルー（Ｂ）のそれぞれを表す位置）が、所定の位置（２１）から回転方向にズレている（図中の矢印２０を参照）。このような状態におけるベクトルスコープは、本来の機能を発揮することができない、又はユーザに対して販売することができない。
【００１０】
従って、本発明の目的は、デコーダに入力される副搬送波信号のバースト信号に対する位相が、完全に一致していない場合であっても、ベクトルスコープを正常に機能させることにある。
【００１１】
本発明のもう１つの目的は、コンポジット・ビデオ信号を正常にベクトル波形表示することにある。
本発明の他の目的は、本明細書の記載を通して、明らかになるであろう。
【００１２】
【課題を解決するための手段】
上記目的を達成するために、本発明は、ベクトルスコープに表示されるベクトル波形を補正するベクトル波形補正装置（３０）である。本発明のベクトル波形補正装置（３０）は、コンポジット・ビデオ信号のクロマ信号から復調された第１色差信号（Ｂ−Ｙ信号）及び第２色差信号（Ｒ−Ｙ信号）を、それぞれｘ及びｙとして入力し、ベクトル（ｘ，ｙ）＝（第１色差信号，第２色差信号）を、全走査線の一部の走査線を単位として、部分的に回転させる手段（１０）を備える。好ましくは、本発明のベクトル波形補正装置（３０）はさらに、一部の走査線毎に補正量θを保持する補正量設定手段（９）を備え、ベクトル（ｘ，ｙ）を回転させる前記手段（１０）が、前記ベクトル（ｘ，ｙ）から、ベクトル（ｘ’，ｙ’）＝（ｘ・ｃｏｓθ−ｙ・ｓｉｎθ，ｘ・ｓｉｎθ＋ｙ・ｃｏｓθ）を生成するアフィン変換手段（１０）である。
【００１３】
ベクトル（ｘ，ｙ）を回転させる前記手段（１０）は、前記ベクトル（ｘ，ｙ）＝（第１色差信号，第２色差信号）を、全走査線の一部の走査線を単位として部分的に回転させるとともに、全走査線を単位として回転させることもできる。この場合、好ましくは、発明のベクトル波形補正装置（３０）はさらに、全走査線の回転量αを保持する回転量設定手段（５’）を備え、ベクトル（ｘ，ｙ）を回転させる前記手段（１０）が、前記ベクトル（ｘ，ｙ）から、ベクトル（ｘ’，ｙ’）＝（ｘ・ｃｏｓ（θ＋α）−ｙ・ｓｉｎ（θ＋α），ｘ・ｓｉｎ（θ＋α）＋ｙ・ｃｏｓ（θ＋α））を生成するアフィン変換手段（１０）である。
【００１４】
発明のベクトル波形補正装置（３０）のベクトル（ｘ，ｙ）を回転させる前記手段（１０）は、ベクトル（ｘ，ｙ）＝（第１色差信号，第２色差信号）を、カラーフレームの属性及びラインの属性に依存して、部分的に回転させることができる。より具体的には、ベクトル（ｘ，ｙ）を回転させる前記手段（１０）は、カラーフレームＡ及び奇数ラインに属するベクトル（ｘ，ｙ）を第１所定量だけ回転させ、カラーフレームＡ及び偶数ラインに属するベクトル（ｘ，ｙ）を第２所定量だけ回転させ、カラーフレームＢ及び奇数ラインに属するベクトル（ｘ，ｙ）を第３所定量だけ回転させ、カラーフレームＢ及び偶数ラインに属するベクトル（ｘ，ｙ）を第４所定量だけ回転させる。
【００１５】
また、上記目的を達成するために、本発明は、デコーダに入力される副搬送波信号のバースト信号に対する位相を補正する移相装置（７０）である。本発明の移相装置（７０）は、全走査線の位相シフト量を保持する位相シフト設定手段（５）と、全走査線の一部の走査線毎に補正位相シフト量を保持する補正量設定手段（９’）と、前記位相シフト量及び前記補正位相シフト量に基づいて、副搬送波信号の位相を、全走査線の一部の走査線を単位として部分的にシフトさせるとともに、全走査線を単位としてシフトさせる位相シフト手段（６）と、シフトされた副搬送波信号と直交する副搬送波信号を生成する９０度位相シフト手段（７）と、を備える。
【００１６】
【発明の実施の形態】
以下に、本発明の実施の形態について、図面を参照して説明する。
図３は、本発明に係るベクトル波形補正装置３０を備えるベクトルスコープの概略ブロック図を示す。図４は、図３中の本発明に係るベクトル波形補正装置３０の具体的なブロック図を示す。
【００１７】
図３に示すベクトルスコープは、図１に示すシフト量設定手段５及び位相シフト手段６を備えていない。言い換えれば、図３に示すベクトルスコープは、ユーザの意志に基づいて、表示手段１１に表示されるベクトル波形を回転させることができない。
【００１８】
図３に示すベクトルスコープの入力手段１、Ｙ／Ｃ分離手段２、同期分離手段３、副搬送波再生手段４、９０度位相シフト手段７、デコーダ手段８及び表示手段１１の機能は、図１に示すベクトルスコープの手段の機能と同様である。従って、これらの手段の詳細な説明は、省略する。但し、図３に示す同期分離手段３は、図１に示す同期分離手段３を改良したものであり、図３に示す同期分離手段３は、垂直同期信号及び水平同期信号を補正量設定手段９に出力する。
【００１９】
図３の一部に示すように、本発明のベクトル波形補正装置３０は、補正量設定手段９と、アフィン変換手段１０と、を備える。
図３及び図４に示すように、補正量設定手段９の判定手段は、同期分離手段３から、垂直同期信号と水平同期信号とを入力する。補正量設定手段９の判定手段は、入力した垂直同期信号及び水平同期信号に基づいて、表示手段１１に表示されるビデオ信号が、カラーフレームＡ又はカラーフレームＢのいずれのフレームに属するのかを判定し、さらに、そのビデオ信号が、奇数ライン又は偶数ラインのいずれのラインに属するのかを判定する。即ち、補正量設定手段９の判定手段は、表示手段１１に表示されるビデオ信号が、１）カラーフレームＡ及び奇数ライン、２）カラーフレームＡ及び偶数ライン、３）カラーフレームＢ及び奇数ライン、又は４）カラーフレームＢ及び偶数ラインのいずれのカテゴリに属するのかを判定し、判定結果をアフィン変換手段１０に出力する。
【００２０】
補正量設定手段９は、カテゴリ毎に、表示手段１１に表示されるベクトル波形であって、該当するカテゴリに属するビデオ信号のみに対応するベクトル波形を、回転させる量（即ち、補正量θ）を保持する。
【００２１】
アフィン変換手段１０は、表示手段１１に表示されるベクトル波形が、ビデオ信号の属するカテゴリに対応する補正量θに基づいて、カテゴリに依存しながら、回転するように、デコーダ８からの色差信号を以下の式１で変換する。
【００２２】
ｘ’＝ｘ・ｃｏｓθ−ｙ・ｓｉｎθ
ｙ’＝ｘ・ｓｉｎθ＋ｙ・ｃｏｓθ  …（式１）
ここで、ｘは、補正前の色差信号のＢ−Ｙ信号部分を表し、ｙは、補正前の色差信号のＲ−Ｙ信号部分を表し、ｘ’は、補正後の色差信号のＢ−Ｙ信号部分を表し、ｙ’は、補正後の色差信号のＲ−Ｙ信号部分を表す。
【００２３】
アフィン変換手段１０は、補正後の色差信号を表示手段１１に出力する。表示手段１１は、入力した色差信号のＢ−Ｙ信号（ｘ’）をｘ軸として、Ｒ−Ｙ信号（ｙ’）をｙ軸として、表示する。
【００２４】
図２を再び参照すると、設計時点において、設計者は、１）カラーフレームＡ及び奇数ライン、並びに、４）カラーフレームＢ及び偶数ラインのカテゴリに対応するベクトル波だけが、所定の位置（２１）から回転方向にズレている（図中の矢印２０を参照）ことを理解できる。或いは、設計者は、２）カラーフレームＡ及び偶数ライン、並びに、４）カラーフレームＢ及び奇数ラインのカテゴリに対応するベクトル波は、所定の位置（２１）にあることを理解できる。
【００２５】
次に、設計者は、１）及び４）のカテゴリに対応するベクトル波だけが、所定の位置（２１）から回転方向に−３度ズレていることを、表示手段に表示される所定の位置のマーカー（２１）から、理解できる。
【００２６】
従って、設計者は、図２の例において、１）及び４）のそれぞれのカテゴリに対して、３度の補正量θを補正量設定手段９に設定すれば良い。また、設計者は、２）及び３）のそれぞれのカテゴリに対して、０度の補正量θ（補正なし）を補正量設定手段９に設定すれば良い。このような補正量を補正量設定手段９に設定すると、図２中の１）カラーフレームＡ及び奇数ライン、並びに、４）カラーフレームＢ及び偶数ラインのカテゴリに対応するベクトル波だけが、３度だけ回転し、その結果、１）及び４）のカテゴリに対応するベクトル波も、所定の位置（２１）に移動する（図５及び図５中の矢印５０を参照）。
【００２７】
このように、設計時点において、表示手段１１に表示されるベクトル波の位置が、部分的に（カラーフレームの属性及びラインの属性に依存して）、補正されることは、副搬送波信号のバースト信号に対する位相が、部分的に、補正されることを意味する。従って、図５は、副搬送波信号のバースト信号に対する位相が、補正された場合における、ＰＡＬ方式のカラーバー信号のベクトル表示例を表している。図５に示すように、表示手段１１に表示されるベクトル波形を、部分的に、回転させることにより、コンポジット・ビデオ信号を正常にベクトル波形表示することができる。なお、設計時点において、補正量θを一旦固定すれば、ユーザは、このような補正を意識することなく、通常のベクトルスコープと同様の操作をすることができる。
【００２８】
図４を再び参照すると、補正量設定手段９の判定手段は、表示手段１１に表示されるビデオ信号が、１）カラーフレームＡ及び奇数ライン、２）カラーフレームＡ及び偶数ライン、３）カラーフレームＢ及び奇数ライン、又は４）カラーフレームＢ及び偶数ラインのいずれのカテゴリに属するのかを判定し、判定結果をアフィン変換手段１０のｓｉｎ係数切り換えスイッチ及びｃｏｓ係数切り換えスイッチに出力する。
【００２９】
補正量設定手段９の係数保持手段は、１）カラーフレームＡ及び奇数ラインのカテゴリに対応するｓｉｎ係数（係数５）及びｃｏｓ係数（係数１）を保持し、また、２）カラーフレームＡ及び偶数ラインのカテゴリに対応するｓｉｎ係数（係数６）及びｃｏｓ係数（係数２）を保持する。さらに、補正量設定手段９の係数保持手段は、３）カラーフレームＢ及び奇数ラインのカテゴリに対応するｓｉｎ係数（係数７）及びｃｏｓ係数（係数３）を保持し、また、４）カラーフレームＢ及び偶数ラインのカテゴリに対応するｓｉｎ係数（係数８）及びｃｏｓ係数（係数４）を保持する。
【００３０】
図２の例において、１）及び４）のそれぞれのカテゴリに対して補正量θ＝３°であり、２）及び３）のそれぞれのカテゴリに対して補正量θ＝０°である。従って、係数１＝ｃｏｓ（３°）＝０．９９８６、係数２＝ｃｏｓ（０°）＝１、係数３＝ｃｏｓ（０°）＝１、係数４＝ｃｏｓ（３°）＝０．９９８６、係数５＝ｓｉｎ（３°）＝０．０５２３、係数６＝ｓｉｎ（０°）＝０、係数７ｓｉｎ（０°）＝０、係数８＝ｓｉｎ（３°）＝０．０５２３である。
【００３１】
ｓｉｎ係数切り換えスイッチは、カテゴリ判定結果に基づき、補正量設定手段９の係数保持手段内のｓｉｎ係数を選択するように、動作する。同様に、ｃｏｓ係数切り換えスイッチは、カテゴリ判定結果に基づき、補正量設定手段９の係数保持手段内ｃｏｓ係数を選択するように、動作する。即ち、１）のカテゴリの場合、係数１及び５が選択され、また、２）のカテゴリの場合、係数２及び６が選択される。さらに、３）のカテゴリの場合、係数３及び７が選択され、また、４）のカテゴリの場合、係数４及び８が選択される。
【００３２】
表示手段１１に表示されるビデオ信号が、１）カラーフレームＡ及び奇数ラインのカテゴリに属する場合、アフィン変換手段１０の第１乗算器は、デコーダ８からのＢ−Ｙ信号と、ｃｏｓ係数切り換えスイッチからの係数１に対応する信号と、を乗算し、第１加算器に出力する。表示手段１１に表示されるビデオ信号が、２）カラーフレームＡ及び偶数ラインのカテゴリに属する場合、アフィン変換手段１０の第１乗算器は、ｃｏｓ係数切り換えスイッチからの係数２に対応する信号を入力する。３）及び４）のカテゴリに属する場合、アフィン変換手段１０の第１乗算器は、それぞれ、係数３及び４に対応する信号を入力する。
【００３３】
表示手段１１に表示されるビデオ信号が、１）のカテゴリに属する場合、アフィン変換手段１０の第２乗算器は、デコーダ８からのＲ−Ｙ信号に−１を乗算した信号と、ｓｉｎ係数切り換えスイッチからの係数５に対応する信号と、を乗算し、第１加算器に出力する。２）、３）及び４）のカテゴリに属する場合、アフィン変換手段１０の第２乗算器は、それぞれ、係数６、７及び８に対応する信号を入力する。
【００３４】
表示手段１１に表示されるビデオ信号が、１）のカテゴリに属する場合、アフィン変換手段１０の第３乗算器は、デコーダ８からのＲ−Ｙ信号と、ｃｏｓ係数切り換えスイッチからの係数１に対応する信号と、を乗算し、第２加算器に出力する。２）、３）及び４）のカテゴリに属する場合、アフィン変換手段１０の第３乗算器は、それぞれ、係数２、３及び４に対応する信号を入力する。
【００３５】
表示手段１１に表示されるビデオ信号が、１）のカテゴリに属する場合、アフィン変換手段１０の第４乗算器は、デコーダ８からのＢ−Ｙ信号と、ｓｉｎ係数切り換えスイッチからの係数５に対応する信号と、を乗算し、第２加算器に出力する。２）、３）及び４）のカテゴリに属する場合、アフィン変換手段１０の第３乗算器は、それぞれ、係数６、７及び８に対応する信号を入力する。
【００３６】
第１加算器は、第１乗算器からの信号と第２乗算器からの信号を加算し、その信号（ｘ’）をＢ−Ｙ信号として表示手段１１に出力する。第２加算器は、第３乗算器からの信号と第４乗算器からの信号を加算し、その信号（ｙ’）をＲ−Ｙ信号として表示手段１１に出力する。このようにして、（式１）を具体化することができる。
【００３７】
ところで、アフィン変換手段１０は、表示手段１１に表示されるベクトル波形が、ビデオ信号の属するカテゴリに対応する補正量θに基づいて、カテゴリに依存しながら、回転するように、デコーダ８からの色差信号を式１で変換する。これは、表示手段１１に表示されるベクトル波形を、全走査線を単位として回転させるのではなく、ベクトル波形を、全走査線の一部の走査線を単位として部分的に回転させることを意味する。逆に言えば、カテゴリに依存しないアフィン変換手段は、表示手段１１に表示されるベクトル波形を、全走査線を単位として回転させることができる。従って、図１に示す位相シフト手段６の機能を併せ持つアフィン変換手段を採用することができる。
【００３８】
図６は、ベクトル波形補正及び回転装置（図１に示すシフト量設定手段５及び位相シフト手段６の機能を併せ持つ装置）をさらに備える図３のベクトルスコープの概略ブロック図を示す。
【００３９】
図３に示すベクトルスコープに比べて、図６に示すベクトルスコープはさらに、回転量設定手段５’を備える。図６に示す回転量設定手段５’（及びアフィン変換手段１０）は、図１に示すシフト量設定手段５（及び位相シフト手段６）に対応する。言い換えれば、図６に示すベクトルスコープは、ユーザの意志に基づいて、表示手段１１に表示されるベクトル波形を、全走査線を単位として回転させることができる。
【００４０】
図６に示すベクトルスコープの入力手段１、Ｙ／Ｃ分離手段２、同期分離手段３、副搬送波再生手段４、９０度位相シフト手段７、デコーダ手段８、補正量設定手段９、アフィン変換手段１０及び表示手段１１の機能は、図１に示すベクトルスコープの手段の機能と同様である。
【００４１】
ベクトル波形補正及び回転装置３０’の回転量設定手段５’は、表示手段１１に表示されるベクトル波形を、全走査線を単位として回転させる量（全走査線の回転量α）を設定し、その回転量を補正量設定手段９に出力する。
【００４２】
補正量設定手段９は、カテゴリに依存する補正量θの全てに、回転量αを加算する。言い換えれば、補正量設定手段９は、カテゴリに依存する補正量θとカテゴリに依存しない回転量αとを保持する。
【００４３】
アフィン変換手段１０は、表示手段１１に表示されるベクトル波形が、補正量θ及び回転量αに基づいて回転するように、アフィン変換手段１０からの色差信号を以下の式２で変換する。
【００４４】
ｘ’＝ｘ・ｃｏｓ（θ＋α）−ｙ・ｓｉｎ（θ＋α）
ｙ’＝ｘ・ｓｉｎ（θ＋α）＋ｙ’・ｃｏｓ（θ＋α）  …（式２）
ここで、ｘは、補正及び回転前の色差信号のＢ−Ｙ信号部分を表し、ｙは、補正及び回転前の色差信号のＲ−Ｙ信号部分を表し、ｘ’は、補正及び回転後の色差信号のＢ−Ｙ信号部分を表し、ｙ’は、補正及び回転後の色差信号のＲ−Ｙ信号部分を表す。
【００４５】
アフィン変換手段６’は、補正及び回転後の色差信号を表示手段１１に出力する。表示手段１１は、入力した色差信号のＢ−Ｙ信号（ｘ’）をｘ軸として、Ｒ−Ｙ信号（ｙ’）をｙ軸として、表示する。
【００４６】
ユーザが、回転量設定手段５’を操作すると（例えば、ユーザが回転ツマミを手動で回転させると）、ベクトルスコープは、表示手段１１に表示されるベクトル波形を、全走査線を単位として回転させる。
【００４７】
ところで、図１に示すベクトルスコープにおいても、何らかの原因で、デコーダ８に入力される副搬送波信号のバースト信号に対する位相が、全走査線に渡って一致しない場合があり得る。そこで、図６に示す補正量設定手段９の機能を移相装置に組み込むことができる。
【００４８】
図７は、補正量設定手段をさらに備える図１のベクトルスコープの概略ブロック図を示す。
図７に示す補正量設定手段９’は、図６に示す補正量設定手段９と同様に、同期分離手段３から垂直同期信号及び水平同期信号を入力して、ビデオ信号のカテゴリを判定し、カテゴリ依存する補正位相シフト量を保存する。補正量設定手段９’は、シフト量設定手段５から、表示手段１１に表示されるベクトル波形を全走査線を単位として回転させる位相シフト量を入力する。補正量設定手段９’は、補正位相シフト量と位相シフト量とを加算したシフト量を位相シフト手段６に出力する。位相シフト手段６は、入力したシフト量に応じて、副搬送波信号の位相をシフトする。
【００４９】
ところで、図７に示す補正量設定手段９’は、図６に示す補正量設定手段９に対応するので、図８に示すように、位相シフト手段とアフィン変換手段を備えるベクトルスコープを採用してもよい。図８に示すベクトルスコープは、図６又は図７に示すベクトルスコープと同様の機能を発揮する。
【図面の簡単な説明】
【図１】コンポジット・ビデオ信号をベクトル波形表示する従来のベクトルスコープの概略ブロック図を示す。
【図２】副搬送波信号のバースト信号に対する位相が、完全に一致していない場合における、ＰＡＬ方式のカラーバー信号のベクトル表示例を表す。
【図３】本発明に係るベクトル波形補正装置を備えるベクトルスコープの概略ブロック図を示す。
【図４】図３中の本発明に係るベクトル波形補正装置の具体的なブロック図を示す。
【図５】副搬送波信号のバースト信号に対する位相が、補正された場合における、ＰＡＬ方式のカラーバー信号のベクトル表示例を表す。
【図６】回転量設定手段をさらに備える図３のベクトルスコープの概略ブロック図を示す。
【図７】補正量設定手段をさらに備える図１のベクトルスコープの概略ブロック図を示す。
【図８】位相シフト手段とアフィン変換手段を備えるベクトルスコープの概略ブロック図を示す。
【図１】
2005024265.tif 000003
【図２】
2005024265.tif 000004
【図３】
2005024265.tif 000005
【図４】
2005024265.tif 000006
【図５】
2005024265.tif 000007
【図６】
2005024265.tif 000008
【図７】
2005024265.tif 000009
【図８】
2005024265.tif 000010